(57)【要約】【課題】加飾用フィルム材の破れ等が生じる恐れが少なく、樹脂基材の外周縁を基材裏面側の外周縁を含めて加飾用フィルム材で簡単に被覆することができ、外観上の見栄えを向上できるフィルム加飾部品及びその製造方法を提供する。【解決手段】樹脂基材１の表面に貼着剤３を介して加飾用フィルム材２が積層されたフィルム加飾部品１０である。樹脂基材１には、その表面に加飾用フィルム材２を積層した端部１２をその表面に加飾用フィルム材２を積層した基材本体１１の裏面側に向けて折り返せる折り返し部１３と、折り返し部１３で端部１２を基材本体１１の裏面側に折り返した状態で、端部１２と基材本体１１とを固着する固着手段４とを備えた。【選択図】図２
2018012311.tif 000002
【特許請求の範囲】
【請求項１】
樹脂基材の表面に貼着剤を介して加飾用フィルム材が積層されたフィルム加飾部品であって、
前記樹脂基材には、その表面に加飾用フィルム材を積層した端部をその表面に加飾用フィルム材を積層した基材本体の裏面側に向けて折り返せる折り返し部と、前記折り返し部で前記端部を前記基材本体の裏面側に折り返した状態で、前記端部と前記基材本体とを固着する固着手段とを備えたことを特徴とするフィルム加飾部品。
【請求項２】
請求項１に記載されたフィルム加飾部品において、
前記折り返し部には、前記樹脂基材の表面側を凹状に形成した溝部を備えたことを特徴とするフィルム加飾部品。
【請求項３】
請求項１又は請求項２に記載されたフィルム加飾部品において、
前記固着手段は、前記端部と前記基材本体の内、いずれか一方の裏面側に凹状に形成された係合凹部と、いずれか他方の裏面側に凸状に形成され前記係合凹部内に挿入する係合凸部とからなることを特徴とするフィルム加飾部品。
【請求項４】
請求項１乃至請求項３のいずれか１項に記載されたフィルム加飾部品において、
前記基材本体の裏面側に折り返した前記端部の表面に積層した前記加飾用フィルム材には、プライマ層とウレタン接着剤層又はアクリル接着剤層とを備えた接着部が形成されていることを特徴とするフィルム加飾部品。
【請求項５】
請求項４に記載されたフィルム加飾部品において、
前記加飾用フィルム材は、複数のフィルム層からなり、その最上層のフィルム層には、ウレタン系樹脂又はアクリル系樹脂が積層されていることを特徴とするフィルム加飾部品。
【請求項６】
樹脂基材の表面に貼着剤を介して加飾用フィルム材が積層されたフィルム加飾部品の製造方法であって、
前記樹脂基材には、その表面に加飾用フィルム材を積層した端部をその表面に加飾用フィルム材を積層した基材本体の裏面側に向けて折り返せる折り返し部と、前記折り返し部で前記端部を前記基材本体の裏面側に折り返した状態で、前記端部と前記基材本体とを固着する固着手段とを備え、
前記貼着剤を裏面に塗布した前記加飾用フィルム材と、前記端部を前記基材本体の裏面側に折り返す前の樹脂基材とを真空成形装置にセットするセット工程と、
前記加飾用フィルム材を加熱するとともに、前記加飾用フィルム材で仕切られた前記真空成形装置の上下チャンバの内部を真空状態にした後、前記樹脂基材を前記加飾用フィルム材側に押し上げて、前記樹脂基材の表面に前記加飾用フィルム材を沿わせたうえで、下チャンバ内を真空状態に保ちながら、上チャンバ内を大気圧状態又は大気圧より加圧状態として、上下チャンバ内の差圧によって前記加飾用フィルム材を前記樹脂基材の表面に貼着させる貼着工程と、
前記真空成形装置内を大気圧に戻すとともに、前記加飾用フィルム材のフィルムチャック部分を切り取り、前記フィルム加飾部品の半製品を取り出す取り出し工程と、
前記半製品の外周側に残ったフィルム端材を、切り落すカット工程と、
前記折り返し部で前記端部を前記基材本体の裏面側に折り返した状態で、前記端部と前記基材本体とを前記固着手段によって固着させる固着工程と、
を備えたことを特徴とするフィルム加飾部品の製造方法。
【請求項７】
請求項６に記載されたフィルム加飾部品の製造方法において、
前記基材本体の裏面側に折り返した前記端部の表面に積層した前記加飾用フィルム材には、プライマ層とウレタン接着剤層又はアクリル接着剤層とを形成し、前記ウレタン接着剤層又はアクリル接着剤層を介して前記フィルム加飾部品とウレタン塗装又はアクリル塗装された樹脂部品とを接着させる接着工程を備えたことを特徴とするフィルム加飾部品の製造方法。
【発明の詳細な説明】
【技術分野】
【０００１】
本発明は、樹脂基材の表面に加飾用フィルム材を積層して形成されたフィルム加飾部品及びその製造方法に関する。
【背景技術】
【０００２】
一般に、樹脂基材の表面に加飾用フィルム材を積層して形成されたフィルム加飾部品は、真空成形法又は真空圧空成形法によって製造されている。この真空成形法又は真空圧空成形法は、以下の手順で行う。すなわち、図１０（ａ）に示すように、貼着剤付きの加飾用フィルム材１０１と、予め成形された樹脂基材１０２とを真空成形装置１０３にセットする。次に、図１０（ｂ）に示すように、真空成形装置１０３の上チャンバ１０５と下チャンバ１０６とを閉じ、加飾用フィルム材１０１をヒータ１０４で加熱するとともに、加飾用フィルム材１０１で仕切られた真空成形装置１０３の上下チャンバ１０５、１０６の内部を真空状態にした後、樹脂基材１０２を加飾用フィルム材１０１側に押し上げて、樹脂基材１０２の表面に加飾用フィルム材１０１を沿わせたうえで、下チャンバ１０６内を真空状態に保ちながら、上チャンバ１０５内を大気圧状態として（この場合、「真空成形法」という）、あるいは上チャンバ１０５内を大気圧より加圧状態として（この場合、「真空圧空成形法」という）、上下チャンバ内の差圧によって加飾用フィルム材１０１を樹脂基材１０２に貼着させる。その後、図１０（ｃ）に示すように、真空成形装置１０３内を大気圧に戻すとともに、加飾用フィルム材１０１のフィルムチャック部分１０７を切り取り、フィルム加飾部品の半製品１１０を取り出す。最後に、図１１に示すように、その半製品１１０の外周端に残ったフィルム端材１０８を、外周側からカッタ１０９で切り落として、フィルム加飾部品１００を形成する。
【０００３】
しかし、上記フィルム加飾部品１００は、図１１に示すように、半製品１１０の外周端に残ったフィルム端材１０８を、外周側からカッタ１０９で切り落として形成するので、樹脂基材１０２の外周縁を加飾用フィルム材１０１で完全に被覆することは困難であった。したがって、上記フィルム加飾部品１００は、加飾用フィルム材１０１によって被覆されていない樹脂基材１０２の外周縁（特に、基材裏面側の外周端）が、見る角度によっては見えることになり、外観上好ましくないという問題があった。
【０００４】
この課題を解決すべく、例えば、特許文献１には、樹脂基材の外周縁が、特に、基材裏面側の外周縁についても、加飾用フィルム材によって被覆されたフィルム加飾部品が開示されている。そのフィルム加飾部品は、以下のように形成する。すなわち、図１２（ａ）に示すように、樹脂基材２０２には、裏面側に形成された凹面の外周縁２０３にテーパ面２０４と三角溝２０５とを備え、真空成形後又は真空圧空成形後の加飾用フィルム材２０１を端部２０１ａを残して一旦大まかに切断する。次に、図１２（ｂ）に示すように、残った加飾用フィルム材２０１の端部２０１ａを裏面側の凹面内に差し入れてテーパ面２０４に貼り付け、図１２（ｃ）に示すように、これを超音波溶着ホーン２０６で溶着する。その後、図１２（ｄ）に示すように、切断刃２０７を三角溝２０５の側壁に沿うように、三角溝２０５内に侵入させて加飾用フィルム材２０１の不要部分を切り取る。その結果、図１２（ｅ）に示すように、樹脂基材２０２の外周縁２０３を、裏面側の外周縁を含めて、残った加飾用フィルム材２０１ｂによって被覆したフィルム加飾部品２００が形成できる。
【先行技術文献】
【特許文献】
【０００５】
【特許文献１】特開２００８−２８４７７１号公報
【発明の概要】
【発明が解決しようとする課題】
【０００６】
しかしながら、特許文献１に記載されたフィルム加飾部品２００には、以下の問題があった。すなわち、加飾用フィルム材２０１を端部２０１ａを残して一旦大まかに切断する（図１２（ａ））が、加飾用フィルム材２０１の端部２０１ａが樹脂基材２０２の受け治具２０８に貼り付くので、これを無理やり剥がそうとすると、加飾用フィルム材２０１の破れ等が生じる恐れがあった。
【０００７】
また、加飾用フィルム材２０１の端部２０１ａを裏面側の凹面内に差し入れてテーパ面２０４に貼り付け（図１２（ｂ））、これを超音波溶着ホーン２０６で溶着する（図１２（ｃ））ので、超音波溶着ホーン２０６という新たな装置や溶着工程等が必要となり、フィルム加飾部品の製造コストが大幅に増加する問題があった。
【０００８】
本発明は、上記問題点を解決するためになされたものであり、加飾用フィルム材の破れ等が生じる恐れが少なく、樹脂基材の外周縁を基材裏面側の外周縁を含めて加飾用フィルム材で簡単に被覆することができ、外観上の見栄えを向上できるフィルム加飾部品及びその製造方法を提供することを目的とする。
【課題を解決するための手段】
【０００９】
上記課題を解決するために、本発明に係るフィルム加飾部品及びその製造方法は、次のような構成を有している。
（１）樹脂基材の表面に貼着剤を介して加飾用フィルム材が積層されたフィルム加飾部品であって、
前記樹脂基材には、その表面に加飾用フィルム材を積層した端部をその表面に加飾用フィルム材を積層した基材本体の裏面側に向けて折り返せる折り返し部と、前記折り返し部で前記端部を前記基材本体の裏面側に折り返した状態で、前記端部と前記基材本体とを固着する固着手段とを備えたことを特徴とする。
【００１０】
本発明においては、樹脂基材には、その表面に加飾用フィルム材を積層した端部をその表面に加飾用フィルム材を積層した基材本体の裏面側に向けて折り返せる折り返し部と、折り返し部で端部を基材本体の裏面側に折り返した状態で、端部と基材本体とを固着する固着手段とを備えたので、その表面に加飾用フィルム材を積層した端部とその表面に加飾用フィルム材を積層した基材本体とを折り返し部で折り返し、端部と基材本体とを固着手段によって固着することによって、基材本体の表面からその裏面側に折り返した端部の表面までを加飾用フィルム材によって連続して被覆することができる。そのため、折り返し部で折り返された樹脂基材の外周縁を、基材表面側の外周縁のみならず基材裏面側の外周縁についても、加飾用フィルム材によって被覆することができる。また、加飾用フィルム材は、端部とともに基材本体の裏面側に折り返すだけであり、加飾用フィルム材が端部から剥がされることがないので、破れ等が生じる恐れも少ない。その結果、本発明によれば、加飾用フィルム材の破れ等が生じる恐れが少なく、折り返し部で折り返された樹脂基材の外周縁を基材裏面側の外周縁を含めて加飾用フィルム材で簡単に被覆することができ、外観上の見栄えを向上できるフィルム加飾部品を提供することができる。
【００１１】
（２）（１）に記載されたフィルム加飾部品において、
前記折り返し部には、前記樹脂基材の表面側を凹状に形成した溝部を備えたことを特徴とする。
【００１２】
本発明においては、折り返し部には、樹脂基材の表面側を凹状に形成した溝部を備えたので、予め加飾用フィルム材を凹状に形成した溝部に沿わせて樹脂基材の表面に積層させることができる。そのため、端部と基材本体とを折り返し部で折り返した際、加飾用フィルム材の過大な伸びを防止することができる。その結果、上記折り返しに伴って、加飾用フィルム材の破れ等が生じる恐れを、より一層低減できる。
【００１３】
（３）（１）又は（２）に記載されたフィルム加飾部品において、
前記固着手段は、前記端部と前記基材本体の内、いずれか一方の裏面側に凹状に形成された係合凹部と、いずれか他方の裏面側に凸状に形成され前記係合凹部内に挿入する係合凸部とからなることを特徴とする。
【００１４】
本発明においては、固着手段は、端部と基材本体の内、いずれか一方の裏面側に凹状に形成された係合凹部と、いずれか他方の裏面側に凸状に形成され係合凹部内に挿入する係合凸部とからなるので、端部と基材本体とを折り返し部で折り返し、係合凹部内に係合凸部を挿入させた状態で、端部と基材本体とを重ね合わせて固着させることができる。そのため、端部と基材本体とを固着させた時には、端部と基材本体との間で固着手段が邪魔にならずに、端部の裏面と基材本体の裏面とを密着させることができる。そのため、折り返した時の樹脂基材の厚みを最小限に抑えつつ、樹脂基材の外周縁を基材裏面側の外周縁を含めて加飾用フィルム材で被覆することができる。
【００１５】
（４）（１）乃至（３）のいずれか１つに記載されたフィルム加飾部品において、
前記基材本体の裏面側に折り返した前記端部の表面に積層した前記加飾用フィルム材には、プライマ層とウレタン接着剤層又はアクリル接着剤層とを備えた接着部が形成されていることを特徴とする。
【００１６】
本発明においては、基材本体の裏面側に折り返した端部の表面に積層した加飾用フィルム材には、プライマ層とウレタン接着剤層又はアクリル接着剤層とを備えた接着部が形成されているので、フィルム加飾部品を、ウレタン塗装又はアクリル塗装された樹脂部品に接着させる前処理として、樹脂基材の裏面側に極性基（主に酸化官能基）を生成させることによって接着性を高めるフレーム処理やコロナ処理、プラズマ処理等を行う必要がない。そのため、例えば、フレーム処理に必要なガスバーナ装置等の設置スペースや処理工程が不要となり、火炎に対する危険もなく、管理上の問題も解消できる。また、ウレタン塗装又はアクリル塗装された樹脂部品とフィルム加飾部品とを、フィルム加飾部品の外周縁で接着させることによって、簡単に外観上の見栄えを向上させることができる。
【００１７】
（５）（４）に記載されたフィルム加飾部品において、
前記加飾用フィルム材は、複数のフィルム層からなり、その最上層のフィルム層には、ウレタン系樹脂又はアクリル系樹脂が積層されていることを特徴とする。
【００１８】
本発明においては、加飾用フィルム材は、複数のフィルム層からなり、その最上層には、ウレタン系樹脂又はアクリル系樹脂が積層されている。ウレタン系樹脂又はアクリル系樹脂とウレタン接着剤又はアクリル接着剤とは親和性が高いので、接着剤とフィルム部分との接着性を、より一層向上させることができる。
【００１９】
（６）樹脂基材の表面に貼着剤を介して加飾用フィルム材が積層されたフィルム加飾部品の製造方法であって、
前記樹脂基材には、その表面に加飾用フィルム材を積層した端部をその表面に加飾用フィルム材を積層した基材本体の裏面側に向けて折り返せる折り返し部と、前記折り返し部で前記端部を前記基材本体の裏面側に折り返した状態で、前記端部と前記基材本体とを固着する固着手段とを備え、
前記貼着剤を裏面に塗布した前記加飾用フィルム材と、前記端部を前記基材本体の裏面側に折り返す前の樹脂基材とを真空成形装置にセットするセット工程と、
前記加飾用フィルム材を加熱するとともに、前記加飾用フィルム材で仕切られた前記真空成形装置の上下チャンバの内部を真空状態にした後、前記樹脂基材を前記加飾用フィルム材側に押し上げて、前記樹脂基材の表面に前記加飾用フィルム材を沿わせたうえで、下チャンバ内を真空状態に保ちながら、上チャンバ内を大気圧状態又は大気圧より加圧状態として、上下チャンバ内の差圧によって前記加飾用フィルム材を前記樹脂基材の表面に貼着させる貼着工程と、
前記真空成形装置内を大気圧に戻すとともに、前記加飾用フィルム材のフィルムチャック部分を切り取り、前記フィルム加飾部品の半製品を取り出す取り出し工程と、
前記半製品の外周側に残ったフィルム端材を、切り落すカット工程と、
前記折り返し部で前記端部を前記基材本体の裏面側に折り返した状態で、前記端部と前記基材本体とを前記固着手段によって固着させる固着工程と、
を備えたことを特徴とする。
【００２０】
本発明においては、樹脂基材には、その表面に加飾用フィルム材を積層した端部をその表面に加飾用フィルム材を積層した基材本体の裏面側に向けて折り返せる折り返し部と、折り返し部で端部を基材本体の裏面側に折り返した状態で、端部と基材本体とを固着する固着手段とを備え、貼着剤を裏面に塗布した加飾用フィルム材と、端部を基材本体の裏面側に折り返す前の樹脂基材とを真空成形装置にセットするセット工程と、加飾用フィルム材を加熱するとともに、加飾用フィルム材で仕切られた真空成形装置の上下チャンバの内部を真空状態にした後、樹脂基材を加飾用フィルム材側に押し上げて、樹脂基材の表面に加飾用フィルム材を沿わせたうえで、下チャンバ内を真空状態に保ちながら、上チャンバ内を大気圧状態又は大気圧より加圧状態として、上下チャンバ内の差圧によって加飾用フィルム材を樹脂基材の表面に貼着させる貼着工程と、真空成形装置内を大気圧に戻すとともに、加飾用フィルム材のフィルムチャック部分を切り取り、フィルム加飾部品の半製品を取り出す取り出し工程と、半製品の外周側に残ったフィルム端材を、切り落すカット工程と、折り返し部で端部を基材本体の裏面側に折り返した状態で、端部と基材本体とを固着手段によって固着させる固着工程と、を備えたので、その表面に加飾用フィルム材を積層した端部とその表面に加飾用フィルム材を積層した基材本体とを折り返し部で折り返し、端部と基材本体とを固着手段によって固着することによって、基材本体の表面からその裏面側に折り返した端部の表面までを加飾用フィルム材によって連続して被覆することができる。そのため、折り返し部で折り返された樹脂基材の外周縁を、基材表面側の外周縁のみならず基材裏面側の外周縁についても、加飾フィルム材によって被覆することができる。また、加飾用フィルム材は、端部とともに基材本体の裏面側に折り返すだけであり、加飾用フィルム材が端部から剥がされることがないので、破れ等が生じる恐れも少ない。その結果、本発明によれば、加飾用フィルム材の破れ等が生じる恐れが少なく、折り返し部で折り返された樹脂基材の外周縁を基材裏面側の外周縁を含めて加飾用フィルム材で簡単に被覆することができ、外観上の見栄えを向上できるフィルム加飾部品の製造方法を提供することができる。
【００２１】
（７）（６）に記載されたフィルム加飾部品の製造方法において、
前記基材本体の裏面側に折り返した前記端部の表面に積層した前記加飾用フィルム材には、プライマ層とウレタン接着剤層又はアクリル接着剤層とを形成し、前記ウレタン接着剤層又はアクリル接着剤層を介して前記フィルム加飾部品とウレタン塗装又はアクリル塗装された樹脂部品とを接着させる接着工程を備えたことを特徴とする。
【００２２】
本発明においては、基材本体の裏面側に折り返した端部の表面に積層した加飾用フィルム材には、プライマ層とウレタン接着剤層又はアクリル接着剤層とを形成し、ウレタン接着剤層又はアクリル接着剤層を介してフィルム加飾部品とウレタン塗装又はアクリル塗装された樹脂部品とを接着させる接着工程を備えたので、フィルム加飾部品をウレタン塗装又はアクリル塗装された樹脂部品に接着させる前処理として、樹脂基材の裏面側に極性基（主に酸化官能基）を生成させることによって接着性を高めるフレーム処理やコロナ処理、プラズマ処理等を行う必要がない。そのため、例えば、フレーム処理に必要なガスバーナ装置等の設置スペースや処理工程が不要となり、火炎に対する危険もなく、管理上の問題も解消できる。また、ウレタン塗装又はアクリル塗装された樹脂部品とフィルム加飾部品とを、フィルム加飾部品の外周縁で接着させることによって、簡単に外観上の見栄えを向上させることができる。
【発明の効果】
【００２３】
本発明によれば、加飾用フィルム材の破れ等が生じる恐れが少なく、樹脂基材の外周縁を基材裏面側の外周縁を含めて加飾用フィルム材で簡単に被覆することができ、外観上の見栄えを向上できるフィルム加飾部品及びその製造方法を提供することができる。
【図面の簡単な説明】
【００２４】
【図１】本発明の実施形態に係るフィルム加飾部品の取付け状態を表す断面図である。
【図２】図１に示すフィルム加飾部品の断面図である。図２（ａ）は、端部を基材本体の裏面側に折り返す前の状態の断面図であり、図２（ｂ）は、端部を基材本体の裏面側に折り返し、端部と基材本体とを固着手段によって固着した状態の断面図である。
【図３】図１に示すフィルム加飾部品のＡ部詳細断面図である。
【図４】図１に示すフィルム加飾部品の接着部を表す断面図である。図４（ａ）は、従来構造として、基材本体の裏面側に接着部を形成した場合の断面図であり、図４（ｂ）は、本実施形態として、折り返した端部に積層された加飾用フィルム材に接着部を形成した場合の断面図である。
【図５】図１に示すフィルム加飾部品の成形工程（セット工程）を表す断面図である。
【図６】図１に示すフィルム加飾部品の成形工程（貼着工程）を表す断面図である。
【図７】図１に示すフィルム加飾部品の成形工程（取り出し工程）を表す断面図である。
【図８】図１に示すフィルム加飾部品の成形工程（カット工程）を表す断面図である。
【図９】図１に示すフィルム加飾部品の変形例を表す断面図である。図９（ａ）は、端部を基材本体の裏面側に折り返す前の状態の断面図であり、図９（ｂ）は、端部を基材本体の裏面側に折り返し、端部と基材本体とを固着手段によって固着した状態の断面図である。
【図１０】従来のフィルム加飾部品の成形工程を表す断面図である。図１０（ａ）はセット工程であり、図１０（ｂ）は貼着工程であり、図１０（ｃ）は取り出し工程である。
【図１１】従来のフィルム加飾部品の成形工程（カット工程）を表す断面図である。
【図１２】特許文献１に記載されたフィルム加飾部品の成形工程を表す断面図である。図１２（ａ）はラフ切断工程であり、図１２（ｂ）は貼着工程であり、図１２（ｃ）は溶着工程であり、図１２（ｄ）はカット工程であり、図１２（ｅ）は最終取り出し工程である。
【発明を実施するための形態】
【００２５】
次に、本発明に係る実施形態であるフィルム加飾部品及びその製造方法について、図面を参照して詳細に説明する。はじめに、本実施形態に係るフィルム加飾部品の構造を詳細に説明し、その後、本フィルム加飾部品の成形工程について、詳細に説明する。
【００２６】
＜フィルム加飾部品の構造＞
まず、本実施形態に係るフィルム加飾部品の構造を、図１〜図４を用いて説明する。図１に、本発明の実施形態に係るフィルム加飾部品の断面図を示す。図２に、図１に示すフィルム加飾部品の断面図を示す。図２（ａ）は、端部を基材本体の裏面側に折り返す前の状態の断面図を示し、図２（ｂ）は、端部を基材本体の裏面側に折り返し、端部と基材本体とを固着手段によって固着した状態の断面図を示す。図３に、図１に示すフィルム加飾部品のＡ部詳細断面図を示す。図４に、図１に示すフィルム加飾部品の接着部を表す断面図を示す。図４（ａ）は、従来構造として、基材本体の裏面側に接着部を形成した場合の断面図であり、図４（ｂ）は、本実施形態として、折り返した端部に積層された加飾用フィルム材に接着部を形成した場合の断面図である。
【００２７】
図１に示すように、本実施形態に係るフィルム加飾部品１０は、樹脂基材１の表面に貼着剤３を介して加飾用フィルム材２が積層されたフィルム加飾部品である。図１には、フィルム加飾部品１０の好適な適用例として、自動車のウレタン塗装された樹脂部品（フロント・バンパ）６の上端面に装着されたフィルム加飾部品（バンパ・ガーニッシュ）１０の１例を示す。
【００２８】
図１に示すフィルム加飾部品（バンパ・ガーニッシュ）１０は、車両前側の端部１２が折り返し部１３で基材裏面側に折り返されている。また、折り返された端部１２は、基材本体１１の裏面側に固着手段４によって固着されている。また、折り返された端部１２の表面には、加飾用フィルム材２が積層され、端部１２に積層された加飾用フィルム材２には、折り返し部１３に沿って接着部５が形成されている。フィルム加飾部品１０は、接着部５を介して樹脂部品（フロント・バンパ）６の上端面に接着されている。また、フィルム加飾部品１０の車両後側の外周縁には、締結フランジ部１５が形成され、締結ねじ１６を介して樹脂部品６の上端面に締結されている。締結フランジ部１５及び締結ねじ１６の上方には、ラジエタ・グリル７が配置されている。
【００２９】
また、図１、図２に示すように、樹脂基材１には、その表面に加飾用フィルム材２を積層した端部１２をその表面に加飾用フィルム材２を積層した基材本体１１の裏面側に向けて折り返せる折り返し部１３と、折り返し部１３で端部１２を基材本体１１の裏面側に折り返した状態で、端部１２と基材本体１１とを固着する固着手段４（４１、４２）とを備えている。締結フランジ部１５には、締め付け孔１５１が形成されている。ここで、樹脂基材１の材料には、例えば、ＰＰ（ポリプロピレン）やＰＥ（ポリエチレン）等のポリオレフィン系樹脂が該当する。また、加飾用フィルム材２の材料には、加熱により軟化する熱可塑性樹脂（例えば、アクリル系樹脂又はウレタン系樹脂等）が該当する。
【００３０】
また、図２（ａ）に示すように、折り返す前の端部１２と基材本体１１とは、全体として略同一の肉厚で、両者の裏面が略同一面上に形成されている。また、折り返し部１３には、端部１２を基材本体１１の裏面側に折り返す前の状態で、樹脂基材１の表面側を凹状に形成した溝部１３１を備えている。加飾用フィルム材２は、溝部１３１の表面形状に沿って凹状に貼着されている。溝部１３１に貼着された加飾用フィルム材２の凹部２５の断面長さが長くなることによって、折り返し時における加飾用フィルム材２の伸びを低減できる。
【００３１】
なお、折り返す前の端部１２は、基材本体１１の延長線上に形成されているが、基材本体１１に対して所定の傾斜角（例えば、２０〜３０度程度）で傾斜するように形成してもよい。この場合、端部１２の折り返し角度が１８０度より傾斜角の大きさだけ減少することになり、折り返し時における加飾用フィルム材２の伸びを低減できる。
【００３２】
また、図２（ｂ）に示すように、固着手段は、端部１２と基材本体１１の内、いずれか一方の裏面側に凹状に形成された係合凹部４１と、いずれか他方の裏面側に凸状に形成され係合凹部４１内に挿入する係合凸部４２とからなるように形成されている。ここでは、係合凹部４１が端部１２に形成され、係合凸部４２が基材本体１１に形成されている。また、係合凹部４１は、貫通孔でも非貫通孔でもよく、係合凸部４２は、爪無し部材でも爪あり部材でもよい。係合凸部４２が爪無し部材の場合には、係合凸部４２を係合凹部４１内にカシメ挿入する構造が好ましい。なお、固着手段４は、機械的に固着させる構造以外にも、接着剤又は溶着等により化学的に固着させる構造でもよい。
【００３３】
また、図３に示すように、基材本体１１の裏面側に折り返した端部１２の表面に積層した加飾用フィルム材２には、プライマ層５２とウレタン接着剤層５１とを備え、ウレタン塗装された樹脂部品（フロント・バンパ）６との接着部５が形成されている。接着部５は、フィルム加飾部品１０の裏面側に形成されている。樹脂部品（フロント・バンパ）６は、樹脂基材６１と、その表面側にウレタン塗装されたウレタン塗装部６２とを備えている。
【００３４】
一般に、汎用的に使用される樹脂材料（例えば、ＰＰ（ポリプロピレン）やＰＥ（ポリエチレン）等のポリオレフィン系樹脂）は、表面の極性が小さく化学的に安定している。そのため、上記樹脂材料からなる樹脂基材をウレタン塗装された樹脂部品にウレタン接着させる従来構造の場合、その前処理として、フレーム処理やコロナ処理、プラズマ処理等を行うことによって、樹脂基材の裏面側に極性基（主に酸化官能基）を生成させ、化学的に活性化させて接着性を高めることが通例である。したがって、図４（ａ）に示すように、従来構造の接着部では、樹脂基材（ＰＰ基材）の接着面に、例えば、予めフレーム処理層を形成し、フレーム処理層の上にプライマ層とウレタン接着剤層を形成する。
【００３５】
しかし、加飾用フィルム材２（例えば、アクリル系樹脂又はウレタン系樹脂等）は、ＰＰ等のオレフィン系樹脂に対して極性が高い（化学的に活性化されている）ので、わざわざフレーム処理やコロナ処理、プラズマ処理等を行う必要がない。そのため、図４（ｂ）に示すように、本フィルム加飾部品１０では、基材裏面側に折り返された端部（ＰＰ基材）１２の表面に積層された加飾用フィルム材２の接着面に、プライマ層５２とウレタン接着剤層５１とを備えた接着部５が形成されている。
【００３６】
また、図３に示すように、加飾用フィルム材２は、複数（２つ）のフィルム層からなり、その最上層のフィルム層２１には、アクリル系樹脂又はウレタン系樹脂が積層されている。アクリル系樹脂としては、例えば、ポリメタクリル酸メチル（ＰＭＭＡ）等が該当する。アクリル系樹脂又はウレタン系樹脂は、アクリル接着剤又はウレタン接着剤との親和性を高める性質を備えているので、接着剤とフィルム部分との接着性を、より一層向上させることができる。なお、下層のフィルム層２２には、例えば、ポリ塩化ビニル（ＰＶＣ）等を使用し、その表面にクロムメッキ等の加飾層が蒸着等によって形成されている。
【００３７】
＜フィルム加飾部品の成形工程＞
次に、本フィルム加飾部品の成形工程について、図２、図４（ｂ）及び図５〜図８を用いて説明する。図５に、図１に示すフィルム加飾部品の成形工程（セット工程）を表す断面図を示す。図６に、図１に示すフィルム加飾部品の成形工程（貼着工程）を表す断面図を示す。図７に、図１に示すフィルム加飾部品の成形工程（取り出し工程）を表す断面図を示す。図８に、図１に示すフィルム加飾部品の成形工程（カット工程）を表す断面図を示す。
【００３８】
図５に示すように、本フィルム加飾部品１０は、真空成形装置８を用いて真空成形法又は真空圧空成形法により形成する。真空成形装置８には、上チャンバ８１と、下チャンバ８２と、フィルムチャック装置８３と、樹脂基材１を保持する受け治具８４と、受け治具８４を載置する昇降テーブル８５と、上チャンバ８１に設置されたヒータ８６と、上チャンバ８１及び下チャンバ８２に接続された真空ポンプ８７と、上チャンバ８１を上下動させる上シリンダ８８と、昇降テーブル８５を上下動させる下シリンダ８９とを備えている。
【００３９】
まず、図５に示すセット工程において、上シリンダ８８を短縮させて上チャンバ８１と下チャンバ８２とを離間させた後、端部１２を基材本体１１の裏面側に折り返す前の樹脂基材１を受け治具８４にセットする。その後、貼着剤３を裏面に塗布した加飾用フィルム材２の両端をフィルムチャック装置８３によって把持し、下チャンバ８２の上端にセットする。
【００４０】
次に、図６に示す貼着工程において、加飾用フィルム材２をヒータ８６で加熱するとともに、加飾用フィルム材２で仕切られた真空成形装置８の上下チャンバ８１、８２の内部を真空ポンプ８７で吸引することによって真空状にする。その後、下シリンダ８９を伸長させ、受け治具８４にセットされた樹脂基材１を加飾用フィルム材２側に押し上げて、樹脂基材１の表面に加飾用フィルム材２を沿わせる。その後、下チャンバ８２に接続された真空ポンプ８７２（８７）の吸引を継続させて、下チャンバ８２内を真空状態に保ちながら、上チャンバ８１に接続された真空ポンプ８７１（８７）を停止し上チャンバ８１内を大気圧状態又は大気圧より加圧状態として、上下チャンバ８１、８２内の差圧によって加飾用フィルム材２を樹脂基材１の表面に貼着させる。
【００４１】
次に、図７に示す取り出し工程において、下チャンバ８２に接続された真空ポンプ８７２（８７）を停止し真空成形装置８内を大気圧に戻した後、上シリンダ８８を短縮させて上チャンバ８１を上昇させる。その後、加飾用フィルム材２のフィルムチャック部分を切り取り、フィルム加飾部品の半製品２０を上下チャンバ８１、８２外へ取り出す。
【００４２】
次に、図８に示すカット工程において、取り出したフィルム加飾部品の半製品２０を、端部１２を基材本体１１の裏面側に折り返す前の状態で、カット台９２に載置し、半製品２０の外周側に残ったフィルム端材２３、２４をカッタ９１で切り落す。フィルム端材２３、２４をカッタ９１で切り落す位置は、樹脂基材１の端縁とほぼ同じ位置に揃えることが好ましい。
【００４３】
次に、図２に示す固着工程において、折り返し部１３で端部１２を基材本体１１の裏面側に折り返した状態で、端部１２と基材本体１１とを固着手段４（４１、４２）によって固着させる。これによって、基材本体１１の表面からその裏面側に折り返した端部１２の表面までを加飾用フィルム材２によって連続して被覆することができ、折り返し部１３で折り返された樹脂基材１の外周縁１４を、基材表面側の外周縁１４１のみならず基材裏面側の外周縁１４２についても、加飾用フィルム材２によって被覆することができる。
【００４４】
次に、本フィルム加飾部品１０をウレタン塗装された樹脂部品に接着させる場合には、図４（ｂ）に示す接着工程において、基材本体１１の裏面側に折り返した端部１２の表面に積層した加飾用フィルム材２の接着面には、プライマ層５２とウレタン接着剤層５１とを形成し、ウレタン接着剤層５１を介してフィルム加飾部品１０とウレタン塗装部６２が形成された樹脂部品６とを接着させる（図３を参照）。なお、本フィルム加飾部品１０をアクリル塗装された樹脂部品に接着させる場合には、加飾用フィルム材２の最上層のフィルム層２１には、アクリル系樹脂を積層させ、図４（ｂ）に示す接着工程において、加飾用フィルム材２の接着面には、プライマ層５２とアクリル接着剤層とを形成するのが好ましい。
【００４５】
＜作用効果＞
以上、詳細に説明したように、本実施形態に係るフィルム加飾部品１０によれば、樹脂基材１には、その表面に加飾用フィルム材２を積層した端部１２をその表面に加飾用フィルム材２を積層した基材本体１１の裏面側に向けて折り返せる折り返し部１３と、折り返し部１３で端部１２を基材本体１１の裏面側に折り返した状態で、端部１２と基材本体１１とを固着する固着手段４とを備えたので、その表面に加飾用フィルム材２を積層した端部１２とその表面に加飾用フィルム材２を積層した基材本体１１とを折り返し部１３で折り返し、端部１２と基材本体１１とを固着手段４によって固着することによって、基材本体１１の表面からその裏面側に折り返した端部１２の表面までを加飾用フィルム材２によって連続して被覆することができる。そのため、折り返し部１３で折り返された樹脂基材１の外周縁１４を、基材表面側の外周縁１４１のみならず基材裏面側の外周縁１４２についても、加飾用フィルム材２によって被覆することができる。また、加飾用フィルム材２は、端部１２とともに基材本体１１の裏面側に折り返すだけであり、加飾用フィルム材２が端部１２から剥がされることがないので、破れ等が生じる恐れも少ない。その結果、本実施形態によれば、加飾用フィルム材２の破れ等が生じる恐れが少なく、折り返し部１３で折り返された樹脂基材１の外周縁１４を基材裏面側の外周縁１４２を含めて加飾用フィルム材２で簡単に被覆することができ、外観上の見栄えを向上できるフィルム加飾部品１０を提供することができる。
【００４６】
また、本実施形態によれば、折り返し部１３には、樹脂基材１の表面側を凹状に形成した溝部１３１を備えたので、予め加飾用フィルム材２を凹状に形成した溝部１３１に沿わせて樹脂基材１の表面に積層させることができる。そのため、端部１２と基材本体１１とを折り返し部１３で折り返した際、加飾用フィルム材２の過大な伸びを防止することができる。その結果、上記折り返しに伴って、加飾用フィルム材２の破れ等が生じる恐れを、より一層低減できる。
【００４７】
また、本実施形態によれば、固着手段４は、端部１２と基材本体１１の内、いずれか一方の裏面側に凹状に形成された係合凹部４１と、いずれか他方の裏面側に凸状に形成され係合凹部４１内に挿入する係合凸部４２とからなるので、端部１２と基材本体１１とを折り返し部１３で折り返し、係合凹部４１内に係合凸部４２を挿入させた状態で、端部１２と基材本体１１とを重ね合わせて固着させることができる。そのため、端部１２と基材本体１１とを固着させた時には、端部１２と基材本体１１との間で固着手段４（４１、４２）が邪魔にならずに、端部１２の裏面と基材本体１１の裏面とを密着させることができる。そのため、折り返した時の樹脂基材１の厚みを最小限に抑えつつ、樹脂基材１の外周縁１４を基材裏面側の外周縁１４２を含めて加飾用フィルム材２で被覆することができる。
【００４８】
また、本実施形態によれば、基材本体１１の裏面側に折り返した端部１２の表面に積層した加飾用フィルム材２には、プライマ層５２とウレタン接着剤層５１又はアクリル接着剤層とを備えた接着部５が形成されているので、フィルム加飾部品１０をウレタン塗装又はアクリル塗装された樹脂部品６に接着させる前処理として、樹脂基材１の裏面側に極性基（主に酸化官能基）を生成させることによって接着性を高めるフレーム処理やコロナ処理、プラズマ処理等を行う必要がない。そのため、例えば、フレーム処理に必要なガスバーナ装置等の設置スペースや処理工程が不要となり、火炎に対する危険もなく、管理上の問題も解消できる。また、ウレタン塗装又はアクリル塗装された樹脂部品６とフィルム加飾部品１０とを、フィルム加飾部品１０の外周縁で接着させることによって、簡単に外観上の見栄えを向上させることができる。
【００４９】
また、本実施形態によれば、加飾用フィルム材２は、複数のフィルム層２１、２２からなり、その最上層のフィルム層２１には、ウレタン系樹脂又はアクリル系樹脂が積層されているので、ウレタン系樹脂又はアクリル系樹脂がウレタン接着剤層５１又はアクリル接着剤層との親和性を高め、接着剤とフィルム部分との接着性を、より一層向上させることができる。
【００５０】
また、他の実施形態に係るフィルム加飾部品１０の製造方法によれば、樹脂基材１には、その表面に加飾用フィルム材２を積層した端部１２をその表面に加飾用フィルム材２を積層した基材本体１１の裏面側に向けて折り返せる折り返し部１３と、折り返し部１３で端部１２を基材本体１１の裏面側に折り返した状態で、端部１２と基材本体１１とを固着する固着手段４とを備え、貼着剤３を裏面に塗布した加飾用フィルム材２と、端部１２を基材本体１１の裏面側に折り返す前の樹脂基材１とを真空成形装置８にセットするセット工程と、加飾用フィルム材２を加熱するとともに、加飾用フィルム材２で仕切られた真空成形装置８の上下チャンバ８１、８２の内部を真空状態にした後、樹脂基材１を加飾用フィルム材２側に押し上げて、樹脂基材１の表面に加飾用フィルム材２を沿わせたうえで、下チャンバ８２内を真空状態に保ちながら、上チャンバ８１内を大気圧状態又は大気圧より加圧状態として、上下チャンバ８１、８２内の差圧によって加飾用フィルム材２を樹脂基材１の表面に貼着させる貼着工程と、真空成形装置８内を大気圧に戻すとともに、加飾用フィルム材２のフィルムチャック部分を切り取り、フィルム加飾部品１０の半製品２０を取り出す取り出し工程と、半製品２０の外周側に残ったフィルム端材２３、２４を、切り落すカット工程と、折り返し部１３で端部１２を基材本体１１の裏面側に折り返した状態で、端部１２と基材本体１１とを固着手段４によって固着させる固着工程と、を備えたので、その表面に加飾用フィルム材２を積層した端部１２とその表面に加飾用フィルム材２を積層した基材本体１１とを折り返し部１３で折り返し、端部１２と基材本体１１とを固着手段４によって固着することによって、基材本体１１の表面からその裏面側に折り返した端部１２の表面までを加飾用フィルム材２によって連続して被覆することができる。そのため、折り返し部１３で折り返された樹脂基材１の外周縁１４を、基材表面側の外周縁１４１のみならず基材裏面側の外周縁１４２についても、加飾用フィルム材２によって被覆することができる。また、加飾用フィルム材２は、端部１２とともに基材本体１１の裏面側に折り返すだけであり、加飾用フィルム材２が端部１２から剥がされることがないので、破れ等が生じる恐れも少ない。その結果、他の実施形態によれば、加飾用フィルム材２の破れ等が生じる恐れが少なく、折り返し部１３で折り返された樹脂基材１の外周縁１４を基材裏面側の外周縁１４２を含めて加飾用フィルム材２で簡単に被覆することができ、外観上の見栄えを向上できるフィルム加飾部品１０の製造方法を提供することができる。
【００５１】
また、他の実施形態によれば、基材本体１１の裏面側に折り返した端部１２の表面に積層した加飾用フィルム材２には、プライマ層５２とウレタン接着剤層５１とを形成し、ウレタン接着剤層５１を介してフィルム加飾部品１０とウレタン塗装された樹脂部品６とを接着させる接着工程を備えたので、フィルム加飾部品１０をウレタン塗装された樹脂部品６に接着させる前処理として、樹脂基材１の裏面側に極性基（主に酸化官能基）を生成させることによって接着性を高めるフレーム処理やコロナ処理、プラズマ処理等を行う必要がない。そのため、例えば、フレーム処理に必要なガスバーナ装置等の設置スペースや処理工程が不要となり、火炎に対する危険もなく、管理上の問題も解消できる。また、ウレタン塗装された樹脂部品６とフィルム加飾部品１０とを、フィルム加飾部品１０の外周縁でウレタン接着させることによって、簡単に外観上の見栄えを向上させることができる。
【００５２】
＜変形例＞
なお、本実施形態は、本発明の要旨を変更しない範囲で変更することが可能なことは言うまでもない。
例えば、本実施形態では、図２（ａ）に示すように、折り返す前の端部１２と基材本体１１とは、全体として略同一の肉厚で、両者の裏面が略同一面上に形成されているが、端部の肉厚及び折り返した端部と当接する領域の基材本体の肉厚のみを、当接しない領域の基材本体の肉厚より薄くし、基材本体の裏面を階段状に形成してもよい。例えば、図９（ａ）に示すように、端部１２Ｂの肉厚と、折り返した端部１２Ｂと当接する領域１１１Ｂの基材本体１１Ｂの肉厚とを、当該領域以外の基材本体１１Ｂの肉厚の略１／２とし、図９（ｂ）に示すように、端部１２Ｂを基材本体１１Ｂの裏面側に折り返したとき、折り返した端部１２Ｂの肉厚と当接する領域１１１Ｂの基材本体１１Ｂの肉厚との和が、当該領域１１１Ｂ以外の基材本体１１Ｂの肉厚と略等しくなるように形成してもよい。これによって、端部を折り返した状態で、樹脂基材の肉厚を略一定とすることができ、フィルム加飾部品１０Ｂの外観上の見栄えを更に向上させることができる。
【産業上の利用可能性】
【００５３】
本発明は、樹脂基材の表面に加飾用フィルム材を積層して形成されたフィルム加飾部品及びその製造方法として利用できる。
【符号の説明】
【００５４】
１                    樹脂基材
２                    加飾用フィルム材
３                    貼着剤
４                    固着手段
５                    接着部
６                    樹脂部品
８                    真空成形装置
１０、１０Ｂ          フィルム加飾部品
１１                  基材本体
１２                  端部
１３                  折り返し部
１４                  外周縁
２０                  半製品
２１、２２            フィルム層
２３、２４            フィルム端材
４１                  係合凹部
４２                  係合凸部
５１                  ウレタン接着剤層
５２                  プライマ層
８１                  上チャンバ
８２                  下チャンバ
１４１、１４２        外周縁
【図１】
2018012311.tif 000003
【図２】
2018012311.tif 000004
【図３】
2018012311.tif 000005
【図４】
2018012311.tif 000006
【図５】
2018012311.tif 000007
【図６】
2018012311.tif 000008
【図７】
2018012311.tif 000009
【図８】
2018012311.tif 000010
【図９】
2018012311.tif 000011
【図１０】
2018012311.tif 000012
【図１１】
2018012311.tif 000013
【図１２】
2018012311.tif 000014